(57)【要約】【課題】スペース効率に優れ、開閉扉の閉動作をスムーズに行うことができる扉開閉検知装置を提供する。【解決手段】開閉扉１０１Ｌ，１０１Ｒにはプッシュスイッチ６１を押圧するための押圧部７２が設けられている。押圧部７２の先端部には、開閉扉１０１Ｌ，１０１Ｒの開閉方向に対して傾斜した傾斜面７２ａが形成されている。回転プーリー６４は、開閉扉１０１Ｌ，１０１Ｒが閉じる際に、外周面が上記押圧部７２の傾斜面７２ａに押圧されることで、ガイド部にガイドされつつプッシュ操作部６１ｂ側に移動して、プッシュ操作部６１ｂを中立位置から所定位置まで押し込む。【選択図】図６
2019148764.tif 000002
【特許請求の範囲】
【請求項１】
プッシュ操作部を中立位置から所定位置まで押し込むことでオン・オフを切替え可能なプッシュスイッチと、回動式の開閉扉の内側面に突設され、該開閉扉が閉じる際に上記プッシュ操作部を上記中立位置から上記所定位置まで押し込む押圧部とを備えた扉開閉検知装置であって、
上記プッシュスイッチは、上記プッシュ操作部の押し込み方向が上記開閉扉の開閉方向に直交するように配置されており、
上記開閉扉の回転軸と平行な軸線回りに回転可能であり、上記プッシュ操作部に対してその先端側から当接する回転プーリーと、
上記回転プーリーを上記プッシュ操作部の押し込み方向に沿って移動可能にガイドするガイド部と、を備え、
上記押圧部の先端部には、上記開閉扉の開閉方向に対して傾斜した傾斜面が形成され、
上記回転プーリーは、上記開閉扉が閉じる際に、外周面が上記押圧部の傾斜面に押圧されることで、上記ガイド部にガイドされつつ上記プッシュ操作部側に移動して、該プッシュ操作部を上記中立位置から上記所定位置まで押し込む、扉開閉検知装置。  
【請求項２】
請求項１記載の扉開閉検知装置において、
上記開閉扉が閉じる際に、上記押圧部の先端部の上記傾斜面が上記回転プーリーの外周面に当接して当該回転プーリーを上記プッシュ操作部側に駆動可能なように、当該回転プーリーの上記押し込み方向の位置を規制するストッパー部をさらに備えている、扉開閉検知装置。
【請求項３】
請求項１又は２記載の扉開閉検知装置において、
上記開閉扉は、筐体の開放部を開閉するものであり、
上記ガイド部を有するとともに上記回転プーリーを支持する支持部材をさらに備え、
上記支持部材と、上記プッシュスイッチと、上記回転プーリーとはユニット化された状態で上記筐体に取付け可能に構成されている、扉開閉検知装置。
【請求項４】
請求項１乃至３のいずれか一項に記載の扉開閉検知装置を備えた画像形成装置。
【発明の詳細な説明】
【技術分野】
【０００１】
本発明は、扉開閉検知装置、及び該扉開閉検知装置を備えた画像形成装置に関する。
【背景技術】
【０００２】
従来より、筐体の開口部に設けられた回動式の開閉扉の開閉検知装置として、プッシュスイッチを使用したものが知られている。例えば、特許文献１に示すものでは、筐体の開口部付近のフレームにプッシュスイッチが取り付けられている。プッシュスイッチは、プッシュ操作部を中立位置から所定位置まで押し込むことでオン・オフが切替わるように構成されている。開閉扉の内側面には突起が設けられており、開閉扉が閉じる際に、この突起がプッシュスイッチのプッシュ操作部を中立位置から所定位置まで押し込んでプッシュスイッチのオン・オフを切替える。プッシュスイッチは、プッシュ操作部の押し込み方向が開閉扉の開閉方向に一致するように（つまり開閉扉が閉じた状態で該扉に対して垂直に）配置されている。
【先行技術文献】
【特許文献】
【０００３】
【特許文献１】特開２００１−３３１０７９号公報
【発明の概要】
【発明が解決しようとする課題】
【０００４】
しかしながら、上記特許文献１に示す扉開閉検知装置では、プッシュ操作部の押し込み方向が開閉扉の開閉方向に一致している。このため、プッシュスイッチの配置スペースを筐体の奥行き方向（扉の開閉方向）に広くとる必要があり、スペース効率が悪いという問題がある。
【０００５】
この問題を解決するべく、プッシュ操作部の押し込み方向が開閉扉の開閉方向に対して直交するようにプッシュスイッチを配置することが考えられる。この場合、開閉扉に設けられた突起部（押圧部材）の先端部に傾斜面を設けることが好ましい。これにより、開閉扉を閉じる際に傾斜面がプッシュ操作部に当接することで、傾斜面よりプッシュ操作部に対して押し込み方向の分力を付与することができる。
【０００６】
しかしこの場合、開閉扉を閉じる際に、押圧部材の先端部の傾斜面がプッシュ操作部に対して摺動しながら移動するので両者の摩擦抵抗が大きくなる。このため、開閉扉をスムーズに閉じることができないという問題がある。
【０００７】
本発明は、かかる点に鑑みてなされたものであり、その目的とするところは、スペース効率に優れ、開閉扉の開閉動作をスムーズに行うことができる扉開閉検知装置及び画像形成装置を提供することにある。
【課題を解決するための手段】
【０００８】
本発明に係る扉開閉検知装置は、プッシュ操作部を中立位置から所定位置まで押し込むことでオン・オフを切替え可能なプッシュスイッチと、回動式の開閉扉の内側面に突設され、該開閉扉が閉じる際に上記プッシュ操作部を中立位置から所定位置まで押し込む押圧部とを備えている。
【０００９】
そして、上記プッシュスイッチは、上記プッシュ操作部の押し込み方向が上記開閉扉の開閉方向に直交するように配置されており、上記開閉扉の回動軸と平行な軸線回りに回転可能であり、上記プッシュ操作部に対してその先端側から当接する回転プーリーと、上記回転プーリーを上記プッシュ操作部の押し込み方向に沿って移動可能にガイドするガイド部と、を備え、上記押圧部の先端部には、上記開閉扉の開閉方向に対して傾斜した傾斜面が形成され、上記回転プーリーは、上記開閉扉が閉じる際に、外周面が上記押圧部材の傾斜面に押圧されることで、上記ガイド部にガイドされつつ上記プッシュ操作部側に移動して、上記プッシュ操作部を上記中立位置から上記所定位置まで押し込む。
【発明の効果】
【００１０】
本発明によれば、スペース効率に優れ、開閉扉の開閉動作をスムーズに行うことができる扉開閉検知装置及び画像形成装置が提供される。
【図面の簡単な説明】
【００１１】
【図１】図１は、実施形態における扉開閉検知装置を備えた画像形成装置を示す外観斜視図である。
【図２】図２は、画像形成装置の内部構造を示す概略図である。
【図３】図３は、画像形成装置本体の前側水平フレームに固定された扉開閉検知装置の検知部を示す斜視図である。
【図４】図４は、開閉扉の内壁面に固定された扉開閉検知装置の被検知部を示す斜視図である。
【図５】図５は、扉開閉検知装置の検知部に被検知部が係合した状態を示す斜視図である。
【図６】図６は、図５の扉開閉検知装置のVI−VI線断面に相当する図であって、左側扉が閉じる直前の状態を示している。
【図７】図７は、図３のVII線で切断したカットモデルである。
【図８】図８は、図３の検知部を前方斜め右側から見た斜視図である。
【図９】図９は、開閉扉に対する押圧部材の組付け構造を示す図であって、図４のIX-IX線断面図である。
【図１０】図１０は、押圧部材を示す斜視図である
【図１１】図１１は、左側扉が閉じた状態を示す図６相当図である。
【発明を実施するための形態】
【００１２】
以下、本発明の実施形態を図面に基づいて詳細に説明する。尚、本発明は、以下の実施形態に限定されるものではない。
【００１３】
図１及び図２は、本実施形態における画像形成装置１を示している。本実施形態の画像形成装置１はデジタル複写機とされている。
【００１４】
画像形成装置１は、画像形成装置本体１００（筐体）とその上側に配置されたスキャナ筐体部２００とを有している。スキャナ筐体部２００内には、原稿画像を読み取るためのスキャナ部２０１（図２参照）が収容されている。スキャナ筐体部２００の側面には、ユーザーが画像形成装置１に対して各種の操作指示を行うための操作パネル２０２が設けられている。以下の説明において、前側、後側は、画像形成装置１の前側（操作パネル２０２側）、後側を意味し、左側、右側は、画像形成装置１を前側から見たときの左側、右側を意味するものとする。
【００１５】
画像形成装置本体１００内には、スキャナ部２０１が読み取った原稿画像を用紙Ｐに印刷するための画像形成部２０が収容されている。画像形成装置本体１００の下部には、印刷用の用紙Ｐを収容する給紙カセット１０ａが設けられている。給紙カセット１０ａは、画像形成装置本体１００の前側に引出し可能になっている。画像形成装置本体１００の前面部における給紙カセット１０ａよりも上側の部分は、前カバー１０１により覆われている。前カバー１０１は、左側扉１０１Ｌと右側扉１０１Ｌとの二つに分割されている。左側扉１０１Ｌ及び右側扉１０１Ｒはそれぞれ、左右の一側端の回転軸１０２Ｌ，１０２Ｒを支点に横方向に回動可能になっている。そうして、左側扉１０１Ｌ及び右側扉１０１Ｒは、画像形成装置本体１００の前面部の開放部を開閉可能に覆っている。左側扉１０１Ｌ及び右側扉１０１Ｒが回動式の開閉扉に相当する。
【００１６】
図２に示すように、画像形成装置本体１００内には、給紙部１０、画像形成部２０、定着部４０が収容されている。画像形成装置本体１００の上面部には、排紙部１００ａが設けられている。給紙部１０から排紙部１００ａに至る用紙搬送経路Ｌには、用紙Ｐを挟持して搬送する複数の搬送ローラー対１１〜１３が配置されている。
【００１７】
上記給紙部１０は、画像形成装置本体１００内の下部に装着された上記給紙カセット１０ａと、給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。
【００１８】
画像形成部２０では、給紙部１０より供給された用紙Ｐに対して所定の画像データ（例えばスキャナ部２０１にて読み取った原稿画像のデータ）に基づくトナー像を転写すると共に、該転写後の用紙Ｐを定着部４０に供給する。
【００１９】
定着部４０では、画像形成部２０より供給される用紙Ｐを定着ローラー４０ａ及び加圧ローラー４０ｂ間で加圧することにより、当該用紙Ｐにトナー像を定着させる。そして、定着部４０にてトナー像が定着された用紙Ｐは、両ローラー４０ａ，４０ｂにより下流側へと送り出される。定着部４０より送り出された用紙Ｐは、複数の搬送ローラー対１２，１３を介して上記排紙部１００ａに排出される。
【００２０】
上記画像形成部２０は、感光体ドラム２１を有している。感光体ドラム２１の周囲には１０時の方向を基準として図の反時計回り方向に、帯電器２３、露光装置２４、現像器２５、転写器２６、クリーニング装置２７、及び除電器２８がこの順で配置されている。
【００２１】
上記帯電器２３は、帯電ローラー２３ａを介して感光体ドラム２１の周面を均一に帯電させる。上記露光装置２４は、感光体ドラム２１の周面にレーザー光を照射することで、所定の画像データに応じた静電潜像を形成する。
【００２２】
上記現像器２５は、トナーコンテナ２９より供給されるトナーを所定極性に帯電して、帯電したトナーを感光体ドラム２１の周面に供給する。これにより、感光体ドラム２１の周面の静電潜像がトナー像として現像される。転写器２６は、転写ローラー２６ａに転写バイアスを印加することで、感光体ドラム２１の周面に形成されたトナー像を用紙Ｐに転写させる。
【００２３】
上記クリーニング装置２７は、感光体ドラム２１の周面に付着した残トナーをクリーニングブレードにより除去する。クリーニング装置２７は、除去した残トナー等を搬送スクリューによりトナー排出部まで搬送する。トナー排出部より排出された残トナー（不必要なトナー）は、廃トナー容器内に落下して廃トナーとして貯留される。この廃トナー容器は、上記左側扉１０１Ｌ及び右側扉１０１Ｒを開くことで外部に交換可能に露出する。
【００２４】
−扉開閉検知装置の構成−
画像形成装置１は、左側扉１０１Ｌ及び右側扉１０１Ｒの開閉を検知する左側扉開閉検知装置５０Ｌ及び右側扉開閉検知装置５０Ｒを備えている。
【００２５】
左側扉開閉検知装置５０Ｌ及び右側扉開閉検知装置５０Ｒの構成は同じであるため、以下では左側扉開閉検知装置５０Ｌの構成についてのみ説明する。
【００２６】
左側扉開閉検知装置５０Ｌは、図３に示す検知部６０と、図４に示す被検知部７０とを有している。検知部６０は、プッシュスイッチ６１を有していて、画像形成装置本体１００の前側水平フレーム１０３に固定されている。被検知部７０は、左側扉１０１Ｌの内側面に固定されている。左側扉１０１Ｌが閉じられると、図５に示すように、被検知部７０が上記検知部６０に係合してプッシュスイッチ６１のオン・オフ状態が切替わるようになっている。
【００２７】
図３〜図５に示すように、検知部６０は、プッシュスイッチ６１、第一部材６２、第二部材６３及び回転プーリー６４を有している。第一部材６２及び第二部材６３は、回転プーリー６４を支持する支持部材の一例である。
【００２８】
図６に示すように、プッシュスイッチ６１は、スイッチ本体部６１ａとプッシュ操作部６１ｂとを有している。スイッチ本体部６１ａは、外観視が直方体状をなしている。プッシュ操作部６１ｂは、スイッチ本体部６１ａの長手方向の端面から突出している。プッシュ操作部６１ｂは、スイッチ本体部６１ａ内の付勢部材により外側に付勢されて所定の中立位置に位置している。プッシュ操作部６１ｂは、スイッチ本体部６１ａに対してその長手方向に摺動可能に組み付けられている。プッシュ操作部６１ｂは、中立位置から所定位置まで押し込み可能になっている。プッシュスイッチ６１は、プッシュ操作部６１ｂの押し込み方向が、左側扉１０１Ｌの開閉方向に対して直交するように配置されている。
【００２９】
スイッチ本体部６１ａは、プッシュ操作部６１ｂが中立位置にある状態ではオフ信号を出力し、プッシュ操作部６１ｂが中立位置から所定位置に移動するとオン信号を出力する。スイッチ本体部６１ａより出力されたオン／オフ信号は、コントローラーに出力される。  
【００３０】
コントローラーは、ＣＰＵ、ＲＯＭ及びＲＡＭ等を有するマイクロコンピューターにより構成されている。コントローラーは、例えばオフ信号を受信している状態で（左側扉１０１Ｌが開いた状態で）操作パネル２０２からの印刷開始信号を受け付けた場合には操作パネル２の表示部にエラー表示を行う。
【００３１】
上記第一部材６２は、固定ブラケット部６２ａ、ガイド部６２ｂ、及びベース板部６２ｃを有している。
【００３２】
上記固定ブラケット部６２ａは、板面が左右方向に対して垂直になるように配置されている。固定ブラケット部６２ａには、スイッチ本体部６１ａが固定されている。スイッチ本体部６１ａは、プッシュ操作部６１ｂ側の端部が固定ブラケット部６２ａを貫通する状態で固定されている。
【００３３】
上記ガイド部６２ｂは、図７に示すように、回転プーリー６４の上側軸部６４ｂ及び下側軸部６４ｃをガイドする機能を有している。ガイド部６２ｂは、左右方向に垂直な断面で見て上下方向の中間部が後側に凸となる断面コ字状をなしている。ガイド部６２ｂの上下方向の両端部は、回転プーリー６４の上側軸部６４ｂ及び下側軸部６４ｃに摺接する摺接面を形成している。ガイド部６２ｂの上端部及び下端部の左側端部は、平面視で前側に折れ曲がってストッパー板部６２ｅ（ストッパー部の一例）を形成している。ストッパー板部６２ｅは、固定ブラケット部６２ａに対向するように配置されている。
【００３４】
上記ベース板部６２ｃは、上記ガイド部６２ｂの上下方向の中間部に連接されて左右方向に延びている。ベース板部６２ｃには位置決め孔６３ｆが形成されている。位置決め孔６３ｆは、前側水平フレーム１０３に突設されたボス部１０３ａに嵌合する。ベース板部６２ｃは、位置決め孔６３ｆと該ボス部１０３ａとの嵌合により位置決めされた状態で、前側水平フレーム１０３に対し螺子８１により固定されている。
【００３５】
第二部材６３は、第一部材６２に対して前側から組付けられている。第二部材６３は、ガイド部６３ａ、対向板部６３ｂ、及びベース板部６３ｃを有している。
【００３６】
ガイド部６３ａの右側端部は、図８に示すように、第一部材６２の固定ブラケット部６２ａに形成された一対のスリット溝６２ｄに係合して組み付けられている。そして、ガイド部６３ａは、第一部材６２のガイド部６２ｂと協働して、回転プーリー６４を左右方向に移動可能にガイドする。具体的には、ガイド部６３ａは、左右方向に垂直な断面で見て上下方向の中間部が前側に凸となる断面コ字状をなしている（図７参照）。ガイド部６３ａの上下方向の中間部と、上記第一部材６２のガイド部６２ｂの上下方向の中間部との間の空間は、プーリー本体部６４ａを収容する収容空間を構成している。ガイド部６３ａの上下方向の両端部は、回転プーリー６４の上側軸部６４ｂ及び下側軸部６４ｃに摺接する摺接面を形成している。
【００３７】
ガイド部６３ａの上下方向の中間部を構成する平板部には、矩形状の貫通孔６３ｄが形成されている。貫通孔６３ｄは、後述する押圧部材７１の押圧レバー部７２を受け入れ可能に形成されている。
【００３８】
上記対向板部６３ｂは、ガイド部６３ａの左側端部から後側に延びて第一部材６２の固定ブラケット部６２ａに対向している。
【００３９】
上記ベース板部６３ｃは、対向板部６３ｂの後端部から左側に延びて第一部材６２のベース板部６２ｃに前側から重なって配置されている。ベース板部６２ｃには、位置決め孔６３ｇ（図３参照）が形成されている。位置決め孔６３ｇは、第一部材６２のベース板部６２ｃに突出されたボス部６２ｆに嵌合する。ベース板部６３ｃは、位置決め孔６３ｇと該ボス部６２ｆとの嵌合により位置決めされた状態で、ベース板部６２ｃに対し螺子８２により固定されている。
【００４０】
回転プーリー６４は、円筒状のプーリー本体部６４ａを有している。プーリー本体部６４ａは、軸線が上下方向に延びるように配置されている。プーリー本体部６４ａの上端面及び下端面には、上側軸部６４ｂ及び下側軸部６４ｃが同軸に突出されている。プーリー本体部６４ａ、上側軸部６４ｂ及び下側軸部６４ｃは一体で回転する。尚、プーリー本体部６４ａが、上側軸部６４ｂ及び下側軸部６４ｃに対して回転可能に支持されていてもよい。
【００４１】
上記第一部材６２と第二部材６３とプッシュスイッチ６１と回転プーリー６４とは、ユニット化した状態で前側水平フレーム１０３に取付け可能になっている。また、ベース板部６３ｃには、第一部材６２を前側水平フレーム１０３に固定するための螺子８１との干渉を回避するべく、開口６３ｅが形成されている。そのため、第一部材６２を前側水平フレーム１０３に固定した状態で、第二部材６３を着脱することも可能である。
【００４２】
次に、図４、図９及び図１０を参照して被検知部７０の詳細を説明する。被検知部７０は、左側扉１０１Ｌの内側面の上側且つ右側の隅部に固定された押圧部材７１を有している。押圧部材７１は、左側扉１０１Ｌが閉じられた際に回転プーリー６４を介してプッシュスイッチ６１のプッシュ操作部６１ｂを押圧する。
【００４３】
具体的には、押圧部材７１は、押圧レバー部７２と固定プレート部７３とを有している。固定プレート部７３には、２つの位置決め孔７３ｂ，７３ｃを有している。各位置決め孔７３ｂ，７３ｃには、左側扉１０１Ｌの内側面から突出するボス部が嵌合している。一方の位置決め孔７３ｂは真円状に形成されている。他方の位置決め孔７３ｃは、上下方向の位置ずれを許容するべく長孔状に形成されている。固定プレート部７３の端縁には、一対の係合爪部７３ａ（図９及び図１０参照）が形成されている。一対の係合爪部７３ａは、左側扉１０１Ｌの内側壁に形成された貫通孔１０１ａに挿入されて該内側壁に係合している。そして、固定プレート部７３は、一対の係合爪部７３ａが左側扉１０１Ｌの内側壁に係合した状態で、取付け穴７３ｄの位置にて螺子８３により該左側扉１０１Ｌに固定されている。
【００４４】
押圧レバー部７２は、固定プレート部７３に対して垂直に固定されている。固定プレート部７３の先端部には傾斜面７２ａが形成されている。傾斜面７２ａは、左側扉１０１Ｌが閉じた状態で後側に向かって左側に傾斜している（図５参照）。
【００４５】
次に、図６及び図１１を参照しながら、左側扉開閉検知装置５０Ｌの動作について説明する。図６は、左側扉１０１Ｌが閉じる直前の状態を示している。この状態では、プッシュスイッチ６１のプッシュ操作部６１ｂが中立位置に位置している。この状態から左側扉１０１Ｌを閉じていくと、押圧レバー部７２の先端部の傾斜面７２ａがプーリー本体部６４ａの外周面に当接する。プーリー本体部６４ａは、この傾斜面７２ａからの押圧力を受けて回転しながら右側に移動してプッシュスイッチ６１のプッシュ操作部６１ｂを所定位置まで押し込む（図１１参照）。この結果、プッシュスイッチ６１の出力信号がオフ信号からオン信号に切替わる。コントローラーでは、プッシュスイッチ６１の出力信号がオフ信号からオン信号に切替わったことをもって左側扉１０１Ｌが閉じたと判定する。
【００４６】
一方、左側扉１０１Ｌを、図１１に示す閉状態から開いていくと、押圧レバー部７２が後退する。これに伴い、プーリー本体部６４ａは、中立位置に戻ろうするプッシュ操作部６１ｂに押されて左側に移動する。そして、押圧レバー部７２の傾斜面７２ａがプーリー本体部６４ａの周面から完全に離れると、プッシュ操作部６１ｂが中立位置に戻ってプッシュスイッチ６１の出力信号がオン信号からオフ信号に切替わる。コントローラーでは、プッシュスイッチ６１の出力信号がオン信号からオフ信号に切替わったことをもって左側扉１０１Ｌが開いたと判定する。
【００４７】
以上説明したように、本実施形態では、各扉開閉検知装置５０Ｌ，５０Ｒのプッシュスイッチ６１は、プッシュ操作部６１ｂの押し込み方向が左側及び右側扉１０１Ｌ，１０１Ｒの開閉方向に対して直交するように配置されている。
【００４８】
したがって、画像形成装置本体１００内において前後方向に十分なスペースを確保できない場合であっても、プッシュスイッチ６１をスペース効率良く配置することができる。
【００４９】
また、本実施形態の左側及び右側扉開閉検知装置５０Ｌ，５０Ｒは、左側及び右側扉１０１Ｌ，１０１Ｒの回転軸１０２Ｌ，１０２Ｒと平行な軸線回りに回転可能な回転プーリー６４と、回転プーリー６４のプッシュ操作部６１ｂをその押し込み方向に沿ってスライド可能にガイドするガイド部６２ｂ，６３ａとを有している。そして、回転プーリー６４は、左側及び右側扉５０Ｌ，５０Ｒを閉じる際に、外周面が押圧レバー部７２の傾斜面７２ａに押圧されることで回転しながらプッシュ操作部６１ｂ側にスライド移動して、該プッシュ操作部６１ｂを中立位置から所定位置まで押し込むように構成されている。
【００５０】
この構成によれば、押圧レバー部７２の傾斜面７２ａが回転プーリー６４を介してプッシュ操作部６１ｂを押圧するようになっている。したがって、左側及び右側扉１０１Ｌ，１０１Ｒを閉じる際に、押圧レバー部７２の傾斜面７２ａがプッシュ操作部６１ｂに直接当接する場合に比べて、傾斜面７２ａに作用する摩擦力を低減することができる。よって、ユーザーは左側及び右側扉１０１Ｌ，１０１Ｒをスムーズに閉じることができる。尚、左側及び右側扉１０１Ｌ，１０１Ｒを開く際にも同様に、傾斜面７２ａに作用する摩擦力を低減することができる。
【００５１】
また、プッシュスイッチ６１のプッシュ操作部６１ｂは、回転プーリー６４によって先端側から基端側に向かって押圧される。したがって、プッシュ操作部６１ｂに対して押し込み方向に直交する方向の荷重（曲げ応力）が作用することもない。よって、プッシュ操作部６１ｂが曲げ応力に負けて折れたりプッシュ操作部６１ｂの摺動部が摩耗したりといった不具合を回避することができる。
【００５２】
ところで、左側及び右側扉１０１Ｌ，１０１Ｒを閉状態から開放する際には、プッシュスイッチ６１のプッシュ操作部６１ｂの復元力により回転プーリー６４が左側に付勢される。このとき、回転プーリー６４が左側に行きすぎると、各扉１０１Ｌ，１０１Ｒを次回閉じる際に、押圧レバー部７２の傾斜面７２ａが回転プーリー６４の外周面に当接しなかったり当接しても回転プーリー６４を左側に駆動できない場合がある。
【００５３】
これに対して本実施形態では、第一部材６２の上端部及び下端部にストッパー板部６２ｅを設けるようにしている。したがって、回転プーリー６４が左側に移動し過ぎるのを防止することができる。すなわち、ストッパー板部６２ｅは、各扉１０１Ｌ，１０１Ｒが閉じる際に、各押圧レバー部７２の先端部の傾斜面７２ａが回転プーリー６４の外周面に当接して当該回転プーリー６４をプッシュ操作部６１ｂ側に駆動可能なように、回転プーリー６４の左右方向の位置を規制している。
【００５４】
また、本実施形態では、検知部６０の構成部材である第一部材６２と第二部材６３とプッシュスイッチ６１と回転プーリー６４とは、ユニット化した状態で画像形成装置本体１００に取付け可能になっている。
【００５５】
したがって、画像形成装置本体１００に対する検知部６０の組付け作業を容易化することができる。また、検知部６０をユニットごと取り外した他の機械に流用することができる。  
《他の実施形態》
上記実施形態では、画像形成装置１がデジタル複写機である例について説明したが、これに限ったものではなく、画像形成装置１は、プリンター、ファクシミリー又は複合機（ＭＦＰ）等であってもよい。  
【００５６】
また、上記実施形態では、プッシュスイッチ６１は、左側及び右側扉１０１Ｌ，１０１Ｒが開いている状態でオフ信号を出力し、各扉１０１Ｌ，１０１Ｒが閉じた状態でオン信号を出力するようになっているが、これに限ったものではない。各扉１０１Ｌ，１０１Ｒが開いている状態でプッシュスイッチ６１がオンになり、閉じている状態でプッシュスイッチ６１がオフになるようにしてもよい。
【産業上の利用可能性】
【００５７】
以上説明したように、本発明は、扉開閉検知装置について有用であり、特に、プリンター、複写機、ファクシミリー又は複合機（ＭＦＰ）等の画像形成装置に適用する場合に有用である。
【符号の説明】
【００５８】
１        ：画像形成装置
２        ：画像形成装置本体
４０      ：定着部
５０Ｌ    ：左側扉開閉検知装置
５０Ｒ    ：右側扉開閉検知装置
６０      ：検知部
６１      ：プッシュスイッチ
６１ｂ    ：プッシュ操作部
６２      ：第一部材（支持部材）
６２ｂ    ：ガイド部
６２ｅ    ：ストッパー板部（ストッパー部）
６３      ：第二部材（支持部材）
６３ａ    ：ガイド部
６３ｄ    ：貫通孔
６４      ：回転プーリー
７１      ：押圧部材
７２      ：押圧レバー部（押圧部）
７２ａ    ：傾斜面
１００    ：画像形成装置本体（筐体）
１０１Ｌ  ：左側扉
１０１Ｒ  ：右側扉
１０２Ｌ  ：回転軸
１０２Ｒ  ：回転軸
Ｐ        ：用紙
【図１】
2019148764.tif 000003
【図２】
2019148764.tif 000004
【図３】
2019148764.tif 000005
【図４】
2019148764.tif 000006
【図５】
2019148764.tif 000007
【図６】
2019148764.tif 000008
【図７】
2019148764.tif 000009
【図８】
2019148764.tif 000010
【図９】
2019148764.tif 000011
【図１０】
2019148764.tif 000012
【図１１】
2019148764.tif 000013